(57)【要約】【課題】  基準紙以外の紙をレジ調整の時にセットされてもメディアに最適なキャリブレーション値と補正をもつレジ調整値を得ることが可能なプリンタの提供。【解決手段】  インクジェットプリンタのキャリッジにもうけた光学センサを用いた自動レジ調整において、給紙時に紙種判別を行い、光学センサのキャリブレーション値を給紙したメディア種に応じた設定にすることでセンサで最適なレジ値読み取り動作が可能となることを特徴とするプリンタ。【選択図】        図１
2007069430.tif 000002
【特許請求の範囲】
【請求項１】
紙種を検知するセンサと、
キャリッジに印字ヘッドと、
キャリッジにメディアに吐出したインクを読み取るセンサと、
を有するプリンタにおいて、
印字ヘッドノズルのレジ値を可変して印字した調整パターンを印字し、
印字された調整パターンをキャリッジに有するセンサで読み取り、
最適な読み取り値のパターンを印字ヘッドのレジ最適値とすることを特徴とするプリンタ。
【請求項２】
請求項１に記載のプリンタにおいて、
検知された紙種が基準としている紙種と反射率が近似の場合レジ調整基準メディアと判定し、
自動レジ調整結果のレジ設定値の補正を高品位メディア印字時に行うことを特徴とするプリンタ。
【請求項３】
請求項１に記載のプリンタにおいて、
検知された紙種が基準としている紙種とくらべ反射率が高かった場合高品位メディアと判定し、
自動レジ調整結果のレジ設定値の補正無しで高品位メディア印字時に行うことを特徴とするプリンタ。
【発明の詳細な説明】
【技術分野】
【０００１】
本発明は、記録ヘッドに配列する複数の記録素子から記録媒体に対しインクを吐出させて画像を形成するインクジェット記録システムに係るプリンタに関する。
【背景技術】
【０００２】
従来のプリンタのレジ調整において自動レジ調整は普通紙で行うことを想定しており、普通紙で行ったレジ最適値に対し、高品位メディアで印字するときのために補正をかけていた。
【０００３】
そのため、自動レジ調整を高品位メディアで行った場合、レジ調整した最適値にさらに高品位メディア用の補正をかけることになり、レジ調整が高品位メディアで行うと補正が必要ないのにかかわらずレジ値補正をかけてしまいレジがあわなくなってしまっていた。
【特許文献１】特開平５−１２４２２１号公報
【特許文献２】特開平６−３１９０９号公報
【特許文献３】特開平１１−９９６４３号公報
【発明の開示】
【発明が解決しようとする課題】
【０００４】
上記の課題を解決するため、紙種検知を行った結果紙種に応じたセンサのキャリブレーション値と補正値を設定することで基準紙以外の紙をレジ調整の時にセットされてもメディアに最適なキャリブレーション値と補正をもつレジ調整値を得ることが可能なプリンタを提供することを目的とする。
【課題を解決するための手段】
【０００５】
本発明は、プリンタのレジ調整をキャリッジに備えたセンサで自動的に行う場合において、レジ調整方法に関わるものである。
【０００６】
紙種判別手段で紙種を検知する。
【０００７】
検知した紙種が普通紙よりも反射率が高い場合は、高品位メディアと判断し、センサのキャリブレーション値を高品位設定にして、調整パターンをセンサし、調整パターンの調整最適値を決定する。
【０００８】
高品位メディアで調整した結果なので、高品位メディアで印字するときは、補正することなくレジ設定を行い、普通紙で印字するときは、吸収率を考慮した補正をかけて印字を行うことでレジ調整に使用した紙種によらず最適な調整を行うことが可能となる。
【０００９】
すなわち、本発明の技術内容は以下の構成を備えることにより前記課題を解決できた。
【００１０】
（１）紙種を検知するセンサと、キャリッジに印字ヘッドと、キャリッジにメディアに吐出したインクを読み取るセンサとを有するプリンタにおいて、印字ヘッドノズルのレジ値を可変して印字した調整パターンを印字し、印字された調整パターンをキャリッジに有するセンサで読み取り、最適な読み取り値のパターンを印字ヘッドのレジ最適値とすることを特徴とするプリンタ。
【発明の効果】
【００１１】
本発明によれば、普通紙以外のメディアでレジ調整値を正しく実行することができ、最高品位を求めるユーザーに対し、最高品位なプリンタの提供が可能となる。
【発明を実施するための最良の形態】
【００１２】
以下に、本発明に適用可能なインクジェット記録システムの構成例を具体的に説明する。
【００１３】
本実施例のインクジェットプリンタのキー構成は、電源キー、ファンクションキー、で構成されている。
【００１４】
図１で示すように、プリンタ１−１はキャリッジ１−２、印字ヘッド１−３、光学センサ１−４、プラテン１−５から構成されている。
【００１５】
プラテン１−５はセンサした結果、紙と異なる値を出力するものとする。
【００１６】
ＡＳＦに紙種検知装置を設置してもよいし、紙種検知専用装置を設けない場合は、キャリッジの光学センサ１−４で給紙後に紙種検知してもよい。
【００１７】
本実施形態の記録装置を用い、本発明の最も特徴的な構成について、以下に具体的な実施例を説明する。
【実施例１】
【００１８】
レジ調整作業を開始する（ステップ２−１、図２参照）。
【００１９】
ホストからのレジ調整開始コマンドを送信してもよいし、パネルキーからレジ調整開始を選択してもよい。
【００２０】
レジ調整開始されると給紙される紙を紙種検知し給紙を行う（ステップ２−２）。
【００２１】
給紙が完了したらキャリッジを走査方向に移動させて紙面幅をスキャンする（ステップ２−３）。
【００２２】
ヘッド吐出確認パターンを印字しセンサする。
【００２３】
センサした結果、入力値が閾値を超えていなかった場合は、ヘッド吐出不良なのでエラーとしてレジ調整エラーとする。
【００２４】
紙種検知を行う（ステップ２−４）。
【００２５】
紙種検知手段は既知の紙面の反射を検出し判別する手段でよい。
【００２６】
紙種が高品位メディアと判定された場合、反射率が高いことと、インク吸収率が高いため、高品位設定用の光量低め、普通紙と判定された場合、反射率が低いことと、インク吸収率が低いため、普通紙設定用の光量多めのセンサの光量キャリブレーションを行う。
【００２７】
また、高品位メディアの場合は、パターンをより詳細な解像度で印字しても、吸収率が高いため調整パターンを詳細に印字することが可能なため、パターンを詳細にしてもよい。
【００２８】
調整パターンを印字する（ステップ２−５）。
【００２９】
センサで紙の余白を読みセンサの白基準とする（ステップ２−６）。
【００３０】
調整パターンを読み取り、もっとも最適なレジ値であったパターンのレジ値をプリンタの最適レジ値と決定する（ステップ２−７）。
【００３１】
最適レジ値の判断は、レジ値があうと濃度が高くなる調整パターンにおいて、センサ入力値が高いところを最適とする検知方法でもよいし、レジ値があうと濃度が低くなる調整パターンにおいて、センサ入力値が低いところを最適とする検知方法でもよい（ステップ２−８）。
【００３２】
紙種類により、普通紙と高品位紙では、紙厚、吸収率がことなるため、最適レジ値が同じプリンタでもことなることとなり普通紙で設定したレジ値に高品位専用紙で印字したときに最適な画像となるように補正をする（ステップ２−９）。
【００３３】
普通紙でレジ調整して高品位専用紙に印字する場合は、最適レジ値に早いタイミングで吐出する設定に補正する。
【００３４】
紙厚さが普通紙と比べ大きいため早く着弾するため、普通紙よりも早いタイミングで吐出することで最適な設定とする。
【００３５】
高品位紙でレジ調整して普通紙に印字する場合は、最適レジ値より遅いタイミングで吐出する設定に補正する。
【００３６】
紙厚さが普通紙と比べ小さいため遅く着弾するため、高品位専用紙よりも遅いタイミングで吐出することで最適な設定とする。
【００３７】
ユーザーが高品位での画質をこだわる場合、高品位でレジ設定して高品位で印字することをした場合、補正をかけることなく最適印字品位を最高の状態のプリンタをユーザーに提供することが可能となる。
【産業上の利用可能性】
【００３８】
本発明は、複数の記録素子よりインクを吐出して画像を形成するシリアル型のインクジェット記録システムに適用することが出来る。
【図面の簡単な説明】
【００３９】
【図１】本実施例のプリンタの構成図
【図２】本実施例の自動レジ調整を説明するフローチャート
【符号の説明】
【００４０】
１−１  プリンタ
１−２  キャリッジ
１−３  印字ヘッド
１−４  センサ
１−５  プラテン
【図１】
2007069430.tif 000003
【図２】
2007069430.tif 000004